(57)【要約】【課題】氷結のときの体積膨張によるボルト穴の破損を防止する冷凍装置用圧縮機のケーシングを提供する。【解決手段】連結フランジ部１１のボルト穴１２の底部１２ａに、充填材１３が充填されている。このため、このボルト穴１２の底部１２ａに、結露による水が溜まらず、氷結のときの体積膨張によるボルト穴１２の破損を防止する。【選択図】図５
2008309126.tif 000002
【特許請求の範囲】
【請求項１】
ケーシング本体（１０）と、
このケーシング本体（１０）の冷媒吸入側に設けられると共に冷媒吸入管（１）を連結する連結フランジ部（１１）と
を備え、
この連結フランジ部（１１）は、ボルト穴（１２）を有し、このボルト穴（１２）の底部（１２ａ）に、充填材（１３）が充填されていることを特徴とする冷凍装置用圧縮機のケーシング。
【請求項２】
請求項１に記載の冷凍装置用圧縮機のケーシングにおいて、
上記充填材（１３）は、弾性体であることを特徴とする冷凍装置用圧縮機のケーシング。
【請求項３】
請求項１に記載の冷凍装置用圧縮機のケーシングにおいて、
上記充填材（１３）は、シリコンゴムまたはグリスであることを特徴とする冷凍装置用圧縮機のケーシング。
【請求項４】
請求項２に記載の冷凍装置用圧縮機のケーシングにおいて、
上記充填材（１３）は、ゴムまたは発泡スチロールであることを特徴とする冷凍装置用圧縮機のケーシング。
【請求項５】
請求項１から４の何れか一つに記載の冷凍装置用圧縮機のケーシングにおいて、
上記ボルト穴（１２）の底部（１２ａ）に、水抜きドレン穴（１４）が連通されていることを特徴とする冷凍装置用圧縮機のケーシング。
【請求項６】
請求項５に記載の冷凍装置用圧縮機のケーシングにおいて、
上記水抜きドレン穴（１４）は、上記ボルト穴（１２）の軸（Ｌ）に直交する方向に延びていることを特徴とする冷凍装置用圧縮機のケーシング。
【請求項７】
ケーシング本体（１０）と、
このケーシング本体（１０）の冷媒吸入側に設けられると共に冷媒吸入管（１）を連結する連結フランジ部（１１）と
を備え、
この連結フランジ部（１１）は、ボルト穴（１２）を有し、このボルト穴（１２）の底部（１２ａ）に、水抜きドレン穴（１４）が連通されていることを特徴とする冷凍装置用圧縮機のケーシング。
【請求項８】
請求項７に記載の冷凍装置用圧縮機のケーシングにおいて、
上記水抜きドレン穴（１４）は、上記ボルト穴（１２）の軸（Ｌ）に直交する方向に延びていることを特徴とする冷凍装置用圧縮機のケーシング。
【発明の詳細な説明】
【技術分野】
【０００１】
この発明は、例えば、チラー、冷凍用冷蔵庫や製氷機などの冷凍装置用の圧縮機のケーシングに関する。
【背景技術】
【０００２】
従来、圧縮機のケーシングとしては、ケーシング本体の冷媒吸入側に、冷媒吸入管を連結する連結フランジ部を備えたものがある（特許第３６２２５８７号公報：特許文献１参照）。この連結フランジ部は、ボルト穴を有する。
【特許文献１】特許第３６２２５８７号公報
【発明の開示】
【発明が解決しようとする課題】
【０００３】
しかしながら、上記従来の圧縮機のケーシングでは、この圧縮機を、チラー、冷凍用冷蔵庫や製氷機などの冷凍装置に用いた場合、上記連結フランジ部は、例えば、−２０℃〜−１０℃となるため、結露による水が、除々に、上記連結フランジ部の上記ボルト穴の底部に、溜まり、この水が凍結して、氷になるときの体積膨張により、上記ボルト穴が破損する問題がある。
【０００４】
そこで、この発明の課題は、氷結のときの体積膨張によるボルト穴の破損を防止する冷凍装置用圧縮機のケーシングを提供することにある。
【課題を解決するための手段】
【０００５】
上記課題を解決するため、この発明の冷凍装置用圧縮機のケーシングは、
ケーシング本体と、
このケーシング本体の冷媒吸入側に設けられると共に冷媒吸入管を連結する連結フランジ部と
を備え、
この連結フランジ部は、ボルト穴を有し、このボルト穴の底部に、充填材が充填されていることを特徴としている。
【０００６】
この発明の冷凍装置用圧縮機のケーシングによれば、上記連結フランジ部の上記ボルト穴の底部に、上記充填材が充填されているので、このボルト穴の底部に、結露による水が溜まらず、氷結のときの体積膨張によるボルト穴の破損を防止する。
【０００７】
また、一実施形態の冷凍装置用圧縮機のケーシングでは、上記充填材は、弾性体である。
【０００８】
この実施形態の冷凍装置用圧縮機のケーシングによれば、上記充填材は、弾性体であるので、上記ボルト穴の水が凍結しても、氷の膨張分を弾性体が吸収する。
【０００９】
また、一実施形態の冷凍装置用圧縮機のケーシングでは、上記充填材は、シリコンゴムまたはグリスである。
【００１０】
また、一実施形態の冷凍装置用圧縮機のケーシングでは、上記充填材は、ゴムまたは発泡スチロールである。
【００１１】
また、一実施形態の冷凍装置用圧縮機のケーシングでは、上記ボルト穴の底部に、水抜きドレン穴が連通されている。
【００１２】
この実施形態の冷凍装置用圧縮機のケーシングによれば、上記ボルト穴の底部に、水抜きドレン穴が連通されているので、上記ボルト穴の底部に、万一、水が入っても、上記水抜きドレン穴から排水されて、上記ボルト穴が液封した状態にならない。
【００１３】
また、一実施形態の冷凍装置用圧縮機のケーシングでは、上記水抜きドレン穴は、上記ボルト穴の軸に直交する方向に延びている。
【００１４】
この実施形態の冷凍装置用圧縮機のケーシングによれば、上記水抜きドレン穴は、上記ボルト穴の軸に直交する方向に延びているので、上記水抜きドレン穴は、上記ボルト穴の軸方向にある上記ケーシング本体の内部空間（冷媒室）に、連通することがない。
【００１５】
また、この発明の冷凍装置用圧縮機のケーシングは、
ケーシング本体と、
このケーシング本体の冷媒吸入側に設けられると共に冷媒吸入管を連結する連結フランジ部と
を備え、
この連結フランジ部は、ボルト穴を有し、このボルト穴の底部に、水抜きドレン穴が連通されていることを特徴としている。
【００１６】
この発明の冷凍装置用圧縮機のケーシングによれば、上記連結フランジ部の上記ボルト穴の底部に、上記水抜きドレン穴が連通されているので、上記ボルト穴の底部に、結露による水が入っても、上記水抜きドレン穴から排水されて、上記ボルト穴の底部に、水が溜まらず、氷結のときの体積膨張によるボルト穴の破損を防止する。
【００１７】
また、一実施形態の冷凍装置用圧縮機のケーシングでは、上記水抜きドレン穴は、上記ボルト穴の軸に直交する方向に延びている。
【００１８】
この実施形態の冷凍装置用圧縮機のケーシングによれば、上記水抜きドレン穴は、上記ボルト穴の軸に直交する方向に延びているので、上記水抜きドレン穴は、上記ボルト穴の軸方向にある上記ケーシング本体の内部空間（冷媒室）に、連通することがない。
【発明の効果】
【００１９】
この発明の冷凍装置用圧縮機のケーシングによれば、上記連結フランジ部の上記ボルト穴の底部に、上記充填材が充填されているので、上記ボルト穴の底部に、結露による水が溜まらず、氷結のときの体積膨張によるボルト穴の破損を防止する。
【００２０】
この発明の冷凍装置用圧縮機のケーシングによれば、上記連結フランジ部の上記ボルト穴の底部に、上記水抜きドレン穴が連通されているので、上記ボルト穴の底部に、結露による水が溜まらず、氷結のときの体積膨張によるボルト穴の破損を防止する。
【発明を実施するための最良の形態】
【００２１】
以下、この発明を図示の実施の形態により詳細に説明する。
【００２２】
図１は、この発明の冷凍装置用圧縮機のケーシングの一実施形態である部分斜視図を示している。このケーシングは、例えば、チラー、冷凍用冷蔵庫や製氷機などの冷凍装置に用いられる圧縮機のケーシングである。
【００２３】
このケーシング内には、（図示しない）モータおよび圧縮部が配置される。つまり、この圧縮機は、上記モータが上記ケーシングの内側に配置された密閉型の圧縮機である。なお、上記圧縮機として、上記モータが上記ケーシングの外側に配置された開放型の圧縮機を用いてもよい。
【００２４】
上記モータは、上記圧縮部を駆動し、上記圧縮部は、冷媒を圧縮する。上記モータは、例えば、アウターロータ型またはインナーロータ型の何れであってもよい。上記圧縮部は、例えば、スクリュー型、ロータリー型、スクロール型またはレシプロ型の何れであってもよい。
【００２５】
そして、上記圧縮機は、（図示しない）凝縮器、膨張部および蒸発器に、循環回路を介して、接続されて、冷凍サイクルを形成する。上記圧縮機は、吸入した冷媒を圧縮して、吐出する。
【００２６】
上記ケーシングは、ケーシング本体１０と、このケーシング本体１０の冷媒吸入側に設けられる連結フランジ部１１とを有する。上記連結フランジ部１１は、ボルト穴１２を有する。
【００２７】
上記連結フランジ部１１は、（仮想線にて示す）冷媒吸入管１を連結する。つまり、上記連結フランジ部１１と、上記冷媒吸入管１のフランジ部１ａとを、対向し、上記ボルト穴１２にボルトを締め付けて、上記連結フランジ部１１と上記冷媒吸入管１とを連結する。
【００２８】
図２、図３および図４に示すように、上記連結フランジ部１１は、上記冷媒吸入管１に連通する連通穴１５を有する。上記ボルト穴１２は、上記連通穴１５の周りに、４つ設けられている。
【００２９】
上記ボルト穴１２は、上記ケーシング本体１０の内部空間（冷媒室）に向かって延びるように、形成されている。上記ボルト穴１２は、底部１２ａを有し、この底部１２ａに、充填材１３が充填されている。
【００３０】
上記充填材１３は、弾性体であり、例えば、ゴムまたは発泡スチロールである。なお、上記充填材１３は、例えば、ペースト状のシリコンゴム、または、グリスであってもよい。
【００３１】
上記ボルト穴１２の底部１２ａに、水抜きドレン穴１４が連通されている。上記水抜きドレン穴１４は、上記ボルト穴１２の軸Ｌに直交する方向に延びている。つまり、上記水抜きドレン穴１４は、横穴である。
【００３２】
図５に示すように、上記充填材１３および上記水抜きドレン穴１４は、上記連結フランジ部１１と上記冷媒吸入管１の上記フランジ部１１とをボルト２にて締め付けたときに、このボルト２の先端面よりも、下側（奥側）に位置する。つまり、上記ボルト穴１２の底部１２ａは、上記ボルト穴１２に上記ボルト２を締め付けたときに、上記ボルト２の先端が進入しない空間を形成する。
【００３３】
上記構成の冷凍装置用圧縮機のケーシングによれば、上記連結フランジ部１１の上記ボルト穴１２の底部１２ａに、上記充填材１３が充填されているので、このボルト穴１２の底部１２ａに、結露による水が溜まらず、氷結のときの体積膨張によるボルト穴１２の破損を防止する。
【００３４】
また、上記ボルト穴１２の底部１２ａへの水の進入を防ぐために、上記ボルト穴１２に、別途、シール材を塗布する必要がなく、手間を省くことができる。
【００３５】
また、上記充填材１３は、弾性体であるので、上記ボルト穴１２の水が凍結しても、氷の膨張分を弾性体が吸収する。
【００３６】
また、上記ボルト穴１２の底部１２ａに、水抜きドレン穴１４が連通されているので、上記ボルト穴１２の底部１２ａに、万一、水が入っても、上記水抜きドレン穴１４から排水されて、上記ボルト穴１２が液封した状態にならない。また、上記水抜きドレン穴１４は、上記ボルト穴１２の底部１２ａに、上記充填材１３を充填したときの圧力を逃がすことができる。
【００３７】
また、上記水抜きドレン穴１４は、上記ボルト穴１２の軸Ｌに直交する方向に延びているので、上記水抜きドレン穴１４は、上記ボルト穴１２の軸Ｌ方向にある上記ケーシング本体１０の内部空間（冷媒室）に、連通することがない。
【００３８】
なお、この発明は上述の実施形態に限定されない。例えば、上記ボルト穴１２の底部１２ａに、上記水抜きドレン穴１４を設けずに、上記充填材１３を充填するだけにしてもよく、このボルト穴１２の底部１２ａに、結露による水が溜まらない。
【００３９】
また、上記ボルト穴１２の底部１２ａに、上記充填材１３を充填せずに、上記水抜きドレン穴１４を連通するだけにしてもよく、上記ボルト穴１２の底部１２ａに、結露による水が入っても、上記水抜きドレン穴１４から排水されて、上記ボルト穴１２の底部１２ａに、水が溜まらず、氷結のときの体積膨張による上記ボルト穴１２の破損を防止する。
【００４０】
このとき、上記水抜きドレン穴１４は、上記ボルト穴１２の軸Ｌに直交する方向に延びるようにしてもよく、上記水抜きドレン穴１４は、上記ボルト穴１２の軸Ｌ方向にある上記ケーシング本体１０の内部空間（冷媒室）に、連通することがない。
【図面の簡単な説明】
【００４１】
【図１】本発明の冷凍装置用圧縮機のケーシングの一実施形態を示す部分斜視図である。
【図２】ケーシングの平面図である。
【図３】図２のＡ−Ａ断面図である。
【図４】図２のＢ−Ｂ断面図である。
【図５】ボルト穴にボルトを締め付けた状態を示す拡大断面図である。
【符号の説明】
【００４２】
１  冷媒吸入管
１ａ  フランジ部
２  ボルト
１０  ケーシング本体
１１  連結フランジ部
１２  ボルト穴
１２ａ  底部
１３  充填材
１４  水抜きドレン穴
１５  連通穴
Ｌ  （ボルト穴の）軸
【図１】
2008309126.tif 000003
【図２】
2008309126.tif 000004
【図３】
2008309126.tif 000005
【図４】
2008309126.tif 000006
【図５】
2008309126.tif 000007